(57)【要約】【課題】比較的少量の吐水を行うような場合においても、マッサージ効果、洗浄効果、節水効果を高めることができるとともに、電源、ポンプが不要で構成が簡便であり、しかも吐水の柔らかさを高めて血行の促進が図れる吐水装置を提供する。【解決手段】密閉空間を形成可能な容器３と、一端が密閉空間に連通可能であり、他端が密閉空間外に連通可能である通水路１１と、この通水路１１を開閉する開閉弁１２とを備える。密閉空間６内に貯留されたガスにより加圧される液体２を通水路１１の他端から吐出させる。通水路１１に、液体中への気泡の含有率を増加させる気液分離手段１５と、通水路１１の通路面積に変動を与えて液体の吐出量に変動を与える変動手段１６とを設ける。【選択図】  図１
2005137705.tif 000002
【特許請求の範囲】
【請求項１】
密閉空間を形成可能な容器と、一端が前記密閉空間に連通可能であり、他端が前記密閉空間外に連通可能である通水路と、この通水路を開閉する開閉弁とを備え、前記密閉空間内に貯留されたガスにより加圧される液体を前記通水路の他端から吐出させる吐水装置であって、前記通水路に、前記液体中への気泡の含有率を増加させる気液分離手段と、前記通水路の通路面積に変動を与えて前記液体の吐出量に変動を与える変動手段とを設けたことを特徴とする吐水装置。
【請求項２】
前記気液分離手段は、前記液体における前記気泡の合致を生じさせる請求項１記載の吐水装置。
【請求項３】
密閉空間を形成可能な容器と、一端が前記密閉空間に連通可能であり、他端が前記密閉空間外に連通可能である通水路と、この通水路を開閉する開閉弁とを備え、前記密閉空間内に貯留されたガスにより加圧される液体を前記通水路の他端から吐出させる吐水装置であって、前記通水路に、前記液体を旋回させる円筒状の旋回室と、前記通水路から前記旋回室内にその接線方向に沿って前記液体を流入させる流入口と、前記旋回室の内部にて旋回する前記液体を前記吐出口に導く流出路とを設け、かつ前記旋回室内に、前記旋回流と同方向に回転自在で、その外周部に前記流入口の一部もしくは前記流出口の一部を周期的に遮蔽する遮蔽板を有する羽根車を配設したことを特徴とする吐水装置。
【請求項４】
前記流出口と、前記吐出口とが同一である請求項３記載の吐水装置。
【請求項５】
前記容器は、容器本体と、該容器本体の口に係合し該容器本体と共働して前記密閉空間を形成する蓋と、施蓋により密閉空間が形成された後に発泡剤と洗浄水との反応を開始させる発泡開始時期規制手段とを備えることを特徴とする請求項１〜４のいずれか１つに記載の吐水装置。
【請求項６】
前記容器は、開閉可能な接続口を有し、ガスが加圧状態で充填された加圧容器を前記接続口に接続し、前記密閉空間内に貯留された液体を、前記加圧容器に充填された前記ガスにより加圧することを特徴とする請求項１〜５のいずれか１つに記載の吐水装置。
【請求項７】
前記ガスは二酸化炭素を主成分とするガスである請求項１〜６のいずれか１つに記載の吐水装置。
【発明の詳細な説明】
【技術分野】
【０００１】
本発明は、気泡を含む液体を吐出して人体の洗浄、美容・健康の促進等に供する吐水装置に係り、特に気液分離および液体の吐出量変動により洗浄、美容・健康促進等の機能性を一層高めることができる吐水装置に関するものである。
【背景技術】
【０００２】
炭酸水などのガスを含有した液体は、人体に対して、血行促進や温感刺激、角質除去、静菌作用、洗浄効果などの各種の効果を与える。したがって、このような液体を、使用場所を選ばずに何処でも手軽に吐出させ使用できる小型の吐水装置があると便利である。
【０００３】
液体を吐出させる装置としては、例えば特許文献１に開示された携帯用肛門洗浄器がある。この携帯用肛門洗浄器は、ノズルを連結したバルブボタンを上部に取付けた容器と、容器底部のネジ式蓋からなるもので、容器内の水に発泡錠剤を入れ、融解させ、発生する気体によって、容器内部に圧力を加え、ノズルより水を噴射させることを特徴とする。
【０００４】
一方、ガスを含有しない水を吐出させる装置としては、例えば特許文献２〜４に開示されたものがある。特許文献２に記載された人体局部洗浄装置においては、流量を変動させる機構として、局部を洗う洗浄水により水車を回転させ、水車に密結した開閉バルブを回転させることにより流量をパルス的に変動させる変動手段を備えている。また、特許文献３に記載された装置では、開閉バルブをモータ等で駆動するようにしている。さらに特許文献４に記載された装置では、水道水からの給水圧を減圧または加圧する調圧手段の前または後の水路の途中にロータを有するロータ室を設け、該ロータにロータ室の水の入口または出口の一部または全部を塞ぐように邪魔板を取付け、洗浄水の水量を間欠的に制限し、水流に脈動を与えるようにしている。
【特許文献１】特開平４−５８９１９号公報
【特許文献２】実開平３−７２９７６号公報
【特許文献３】実開平３−７２９７７号公報
【特許文献４】特開平８−８１９９１号公報
【発明の開示】
【発明が解決しようとする課題】
【０００５】
特許文献１に記載された携帯用肛門洗浄器の場合、容器内の水に発泡錠剤を投入した後に、ネジ式蓋を施蓋するので、施蓋による密閉空間の形成前に発泡錠剤の溶解が開始し、発生したガスの一部が発泡前に散逸する可能性があるという問題があった。
【０００６】
また、この特許文献１に記載された携帯用肛門洗浄器の場合、容器内において炭酸ガスにより加圧された水をバルブの開操作により大気中にそのまま吐水する。このため、ノズルから噴射される炭酸水は、微細な気泡を含有するにとどまる。一般的に加圧された液体が吐水されると液体中に溶解していたガスの一部が減圧効果によって、気泡となって発生するが、液体中にはまだ多量のガスが溶解した状態となっている。また、吐水直後に減圧効果によって発生する気泡の量は全溶解量の内の一部の微細な気泡を有するに留まる。全溶解量の内の一部の微細な気泡のみでは、人体などに対する刺激は不十分であり、洗浄力に乏しい。また、炭酸ガスが有する血行促進効果なども十分に得られないおそれがある。
【０００７】
一方、特許文献２〜４に記載された人体局部洗浄装置の場合には、通常の水に脈動を与えることにより連続的な放流吐出に比して洗浄効果を高めることができるが、単に水の流動形態を変動させるだけのものに過ぎない。したがって、大量の水を使用する洗浄装置に対しては高機能化が図れるが、例えば節水効果を求められる携帯用吐水装置のように、小型小容量の容器を用いて少量の液を使用する場合には、必ずしも期待する高機能化を図ることはできないものであった。
【０００８】
本発明はこのような事情に鑑みてなされたもので、比較的少量の吐水を行うような場合においても、マッサージ効果、洗浄効果、節水効果を高めることができるとともに、電源、ポンプが不要で構成が簡便であり、しかも吐水の柔らかさを高めて血行の促進が図れる吐水装置を提供することを目的とする。
【課題を解決するための手段】
【０００９】
前記の目的を達成するために、請求項１に係る発明では、密閉空間を形成可能な容器と、一端が前記密閉空間に連通可能であり、他端が前記密閉空間外に連通可能である通水路と、この通水路を開閉する開閉弁とを備え、前記密閉空間内に貯留されたガスにより加圧される液体を前記通水路の他端から吐出させる吐水装置であって、前記通水路に、前記液体中への気泡の含有率を増加させる気液分離手段と、前記通水路の通路面積に変動を与えて前記液体の吐出量に変動を与える変動手段とを設けたことを特徴とする吐水装置を提供する。
【００１０】
請求項２に係る発明では、前記気液分離手段は、前記液体における前記気泡の合致を生じさせる吐水装置を提供する。
【００１１】
請求項３に係る発明では、密閉空間を形成可能な容器と、一端が前記密閉空間に連通可能であり、他端が前記密閉空間外に連通可能である通水路と、この通水路を開閉する開閉弁とを備え、前記密閉空間内に貯留されたガスにより加圧される液体を前記通水路の他端から吐出させる吐水装置であって、前記通水路に、前記液体を旋回させる円筒状の旋回室と、前記通水路から前記旋回室内にその接線方向に沿って前記液体を流入させる流入口と、前記旋回室の内部にて旋回する前記液体を前記吐出口に導く流出路とを設け、かつ前記旋回室内に、前記旋回流と同方向に回転自在で、その外周部に前記流入口の一部もしくは前記流出口の一部を周期的に遮蔽する遮蔽板を有する羽根車を配設したことを特徴とする吐水装置を提供する。
【００１２】
請求項４に係る発明では、前記流出口と、前記吐出口とが同一である吐水装置を提供する。
【００１３】
請求項５に係る発明では、前記容器は、容器本体と、該容器本体の口に係合し該容器本体と共働して前記密閉空間を形成する蓋と、施蓋により密閉空間が形成された後に発泡剤と洗浄水との反応を開始させる発泡開始時期規制手段とを備える吐水装置を提供する。
【００１４】
請求項６に係る発明では、前記容器は、開閉可能な接続口を有し、ガスが加圧状態で充填された加圧容器を前記接続口に接続し、前記密閉空間内に貯留された液体を、前記加圧容器に充填された前記ガスにより加圧する吐水装置を提供する。
【００１５】
請求項７に係る発明では、前記ガスは二酸化炭素を主成分とするガスである吐水装置を提供する。
【発明の効果】
【００１６】
本発明によれば、通水路に液体中への気泡の含有率を増加させる気液分離手段と、通水路の通路面積に変動を与えて液体の吐出量に変動を与える変動手段とを設けることにより、水に変動を与えてマッサージ効果、洗浄効果、節水効果を高めることができるとともに、電源、ポンプが不要であり、構成も簡素化できる。しかも、気泡を含有した液体により血行が促進されるとともに、吐水時に加圧していたガスを発泡させて液体中の気泡の割合を高めることで吐水を柔らかくすることができる。
【００１７】
さらに、吐水前に液体中に加圧して溶解しているガスを発泡させているので、吐水時の圧力を高めることができる。従って、吐水前に高い圧力を得ることができるので、気液分離および液体の吐出量変動により洗浄、美容・健康促進等の機能性を一層高めることができる。
【００１８】
また、旋回室と遮蔽板とを有する水車を用いて吐水に変動を与えるようにすれば、電気を用いずに吐水に変動を与えることができる。
【００１９】
さらにまた、吐水前に気液分離を行うことで高い吐水の圧力を得ることができるので、ポンプを使用せずに、水車を確実に回転させて吐水に変動を与えることができる。
【００２０】
また、水車により微細気泡が得られるため、吐水の柔らかさを増大することができる。
【００２１】
そして、洗浄効果等の増大によって節水効果が向上できるとともに、吐水前の液体が発泡状態となっているので吐水飛散が極めて少量もしくは皆無となり、所定の個所に的確な吐水を行える等の効果も奏される。
【００２２】
また、容器は、容器本体と蓋とに分けることで、繰り返し使用することができ、さらに施蓋により密閉空間が形成された後に発泡剤と洗浄水との反応を開始させる発泡開始時期規制手段を備えるので、施蓋による密閉空間の形成前に発泡錠剤の溶解が開始することがなく、発生したガスの一部が発泡前に散逸することがない。
【００２３】
さらにまた、別体のガスボンベを利用して容器内を加圧する構成とした場合には、薬剤等を用いずに、より簡便に高濃度の加圧水（炭酸水）を生成することができる。
【００２４】
また、水への溶解性が非常に高い二酸化炭素を主成分とするガスを適用することにより減圧または攪拌効果による気泡の発生量が大きく、気泡を含有した吐水を行う際の加圧ガスとして非常に優れている。節水効果を求められる携帯用吐水装置のように、小型小容量の容器を用いて少量の液を吐水する場合において、特に好ましい。
【発明を実施するための最良の形態】
【００２５】
以下、本発明に係る吐水装置の一実施形態について、図面を参照して説明する。
【００２６】
図１は、本実施形態の吐水装置を縦断面として示す全体構成図である。図２は、図１に示した吐水装置の気液分離手段および変動手段を示す分解斜視図であり、図３は、気液分離手段および変動手段を示す拡大断面図である。図４は、図３の側面図（図３のｘ矢視図）である。
【００２７】
図１に示すように、本実施形態の吐水装置１は、液体２を上方から注入し得る上端開口の瓶型容器３と、この容器３の上端開口部にネジ部４を介して装着される着脱可能な蓋５とを有し、施蓋により容器３内に密閉空間６を形成することが可能とされている。
【００２８】
容器３の内部中央位置には、施蓋時における蓋５の下端部に当接する高さ位置から容器３の底部近傍まで垂下する上下端開放の給水筒７が設けられ、容器３内に収容される液体２が給水筒７の下端と容器３の内底部との隙間を介して、給水筒７の内外に自由に流動できるようになっている。
【００２９】
また、給水筒７の内側には図示省略のホルダ受部が設けてあり、発泡薬剤を保持する筒状の薬剤ホルダ（仮想線）８をこのホルダ受部により容器３内の所定高さ位置に挿入保持できるとともに、施蓋により上方から薬剤ホルダ８を押圧した際に、図示省略の破断部に接触して薬剤ホルダ８の下端部が破断し、内部の薬剤が容器３内の液体２と接触し得るようになっている。
【００３０】
蓋５は、上述したネジ部４を有する基蓋５ａと、この基蓋５ａに上向き付勢用のスプリング９を介して押し下げ可能に設けられた操作蓋５ｂとを有し、蓋５の内部には、一端が容器３内の中央位置で開口し、他端が蓋５の外側方に向って開口する流路１０が形成されている。この流路１０の容器内方側の端部に、操作蓋５ｂの押し下げにより開口し、流路１０ひいてはこれに連通する後述の通水路１１を開閉する開閉弁１２が設けられている。
【００３１】
蓋５における流路１０の出口には、横長管状のノズル１３が連結され、このノズル１３内に液体２を流通させる通水路１１が設けられている。この通水路１１の一端は蓋５へのノズル１３のネジ込み等により密閉空間６に連通可能であり、他端は吐出口１４として、密閉空間６外に連通可能である。
【００３２】
このノズル１３の通水路１１に、液体２中への気泡の含有率を増加させる気液分離手段と、通水路１１の通路面積に変動を与えて液体２の吐出量に変動を与える変動手段とが設けられている。気液分離手段は、通水路１１の他端側に設けられた旋回室１７内に配置された水車１５により構成され、変動手段は、水車１５に設けられた遮蔽板１６により構成されている。
【００３３】
詳述すると、図２〜図４に示すように、通水路１１の他端側には円筒状の旋回室１７が形成され、円盤状の旋回室蓋１７ａにより塞がれている。この旋回室１７には、通水路１１の一端側から接線方向（ａ）に沿って液体２を流入させる流入口１８が開口している。これにより、流入口１８から旋回室１７に流入する液体２を旋回室１７内において旋回させるようになっている。
【００３４】
一方、通水路１１の他端側に形成された旋回室１７の内部にて旋回する液体２を吐出口１４に導く流出口１９が設けられている。この流出口１９は、流入口１８に対して旋回室１７の円筒形における軸心方向ｂで位置を異ならせるとともに、流入口１８の軸線に対して一定角度傾斜した配置とされている。なお、本実施形態では、流出口１９と、吐出口１４とが同一である構成とされている。
【００３５】
そして、気水分離手段としての水車１５は、旋回室１７の内側壁中心位置から突出した支軸２０に回転自在に支持されており、水車１５の羽根部が流入口１８に対向し、流入口１８から旋回室１７に流入する液体２によって旋回力を受ける。すなわち、水車１５は旋回室１７内における液体２の旋回流と同方向に回転自在とされている。
【００３６】
また、変動手段は、水車１５を構成する羽根の外周部の一定角度範囲に亘り周方向に沿って配置した円弧状の板からなる遮蔽板１６として構成されている。この遮蔽板１６は、流出口１９に対向する部位に配置され、水車１５の回転時に流出口１９の一部を周期的に遮蔽するようになっている。本実施形態では、流出口１９の全面積の略半分程度が遮蔽される。なお、変動手段としての遮蔽板１６は、流入口１８の一部を周期的に遮蔽するようにしてもよい。
【００３７】
次に作用を説明する。
【００３８】
使用時には、容器３の蓋５を外し、上端開口部から容器３内に水等の液体２を注入する。この場合、液体２は給水筒７の内外に充填し得る。液体２の充填後には、給水筒７内における図示省略のホルダ受部に発泡薬剤を保持する筒状の薬剤ホルダ８を挿入する。その後、容器３に対して施蓋し、容器３内を密閉空間とするとともに、施蓋により下降する蓋５の内底部により薬剤ホルダ８を圧下し、薬剤ホルダ８の下端を図示省略の破断部に当接させて破断させ、薬剤を液体２に接触させる。
【００３９】
薬剤としては、例えば炭酸水素ナトリウムと有機酸例えばクエン酸などの果実酸を適用する。これらが液体２である水に溶解すると、炭酸ガスが発生する。発生した炭酸ガスは容器３内の上部に充満し容器内の圧力を上昇させるとともに、炭酸ガスの一部は容器内圧力に応じて、容器３内の液体２に溶解する。
【００４０】
また、炭酸ガスは他のガスと比較して、水への溶解性が非常に高い。このため、減圧、または攪拌効果による、気泡の発生量が大きく、気泡を含有した吐水を行う際、加圧ガスとして非常に優れている。節水効果を求められる携帯用吐水装置のように、小型小容量の容器を用いて少量の液を吐水する場合において、特に好ましい。
【００４１】
ここで、ガスの水への溶解性について比較した例を示す。人体に害がなく、大気中に容易に放出可能な気体として、空気中に含まれる窒素、酸素、二酸化炭素を例にあげ比較してみると、水に対する溶解度の比率は窒素：酸素：二酸化炭素＝1:2:40であり、二酸化炭素は他の気体より溶解度が高いことが分かる。
【００４２】
開閉弁１２は容器３内のガス圧およびスプリング９により押上げられ、閉状態を確実に維持することができる。使用者は、この状態で容器３を携帯することができる。
【００４３】
人体洗浄等の使用に際しては、操作蓋５ｂを押し下げる。これにより、開閉弁１２が開となり、容器１の中央に開口している流路１０および通水路１１を介して給水筒７内の炭酸ガスが排出される。一方、給水筒７の外側上部には炭酸ガスが残り、図１に矢印ｃで示すように、給水筒７の外側の液体２が上部の炭酸ガスによって加圧されている。そこで、操作蓋５ｂを押し続けた場合には、給水筒７の外側上部の炭酸ガスによる加圧力で液体２が給水筒７の上方に移動し、開口する開閉弁１２および流路１０を介して液体２が通水路１１内にその一端側から流入する。そして、液体２は通水路１１の他端側に向って通水され、やがて流入口１８を介して円筒状の旋回室１７内に接線方向から流入する。
【００４４】
図５（Ａ）〜（Ｃ）は、旋回室６における水車１５の回転時における通水状態を順次に示す説明図である。通水路２から旋回室１７に流入する液体２は、図５（Ａ）〜（Ｃ）に示すように、常時水車１５の羽根に接触して旋回室１７の円筒形に沿って旋回し、この旋回流によって水車１５を連続的に回転させる。この水車１５の回転によって液体２は攪拌され、この水車１５の攪拌による局所的な圧力低下と旋回室１７内の液体２の旋回による遠心分離作用とにより、液体２中に多量に溶解した炭酸ガスが微細な気泡として発泡し、液体２への気泡の含有率が増加する。
【００４５】
また、さらに水車１５による攪拌作用と旋回室１７による遠心分離作用が促進されると、微細な気泡同士が接触して合体し、次第に大きな気泡として成長していく。このように、水車１５の回転により液体２への気泡の含有率を増加させる作用が「気液分離作用」である。
【００４６】
一方、図５（Ａ）に示すように、旋回室１７の流出口１９に邪魔板１６が配置されない状態では、矢印ｃで示すように、流出口１９に達した液体２が全て流出口１９を介し吐出口１４から外方に吐出される。この状態では、吐出水としての液体径が大径である。次に、図５（Ｂ）に示すように、水車１５が所定角度回転して、旋回室１７の流出口に遮蔽板１６が配置される状態になると、流出口１９の一部（流出口断面積の例えば１／２）が閉鎖され、吐出される液体径は細径化される。その後、図５（Ｃ）に示すように、再び旋回室１７の流出口１９に遮蔽板１６が配置されない状態になると、流出口１９に達した液体２が全て流出口１９を経て吐出口１４から吐出されるようになり、吐出液体径が再び大径となる。このように、通水路の通路面積に変動を与えて液体２の吐出量に変動を与える作用が、「変動作用」であり、図１に模式的式的に示すような吐水が行われる。
【００４７】
次に、図６〜図１２を参照して、「気液分離作用」および「変動作用」による通水液体および吐出液体の状態変化を説明する。
【００４８】
図６（Ａ）、図７（Ａ）、図８（Ａ）、図９（Ａ）、図１１（Ａ）および図１２（Ａ）は、それぞれ気泡を含む液体の断面状態を模式的に示し、図１０（Ａ）は、気泡を含まない液体の断面状態を模式的に示している。また、図６（Ｂ）、図７（Ｂ）、図８（Ｂ）、図９（Ｂ）、図１０（Ｂ）、図１１（Ｂ）および図１２（Ｂ）は、それぞれ液体が人体等に衝突した際の荷重変動を示している（縦軸は荷重（Ｆ）、横軸は時間（ｔ）を示す）。
【００４９】
図６（Ａ），（Ｂ）は、容器１内から通水路１１に導入される、攪拌前の吐水の状態を示している。この吐水としての液体２中には、図６（Ａ）に示すように、微小な気泡２１が含まれており、この気泡２１により液体２は加圧状態とされており、容器１内の圧力が比較的低い場合であっても、勢いよく吐水することができ、この圧力により水車１５をより安定して回転させることができる。この吐水時に発生した気泡２１の量をＱ１とする。図６（Ｂ）は、気泡量Ｑ１の吐水による衝撃荷重Ｆ１を示している。この衝撃荷重Ｆ１は、気泡を含まない場合の衝撃荷重Ｆ０に比して高く、かつ脈動している。
【００５０】
次に、図７（Ａ），（Ｂ）は旋回室１７内で液体２が水車１５により攪拌され始める、攪拌初期（気液分離初期）の状態を示している。
【００５１】
容器１から流出した直後の状態では液体２に含有される気泡２１が極微細であり、そのほとんどは容器内の圧力により液体中に溶解しているが、通水路１１から旋回室１７に流入すると、図７（Ａ）に示すように、液体２中の気泡２１が拡大し始める。これは、通水路１１から旋回室１７に流入すると、旋回室１７内での旋回流による遠心分離効果および前記水車１５による攪拌効果によって、図７（Ａ）に示すように、液体２中に多量に溶解したガスが微細な気泡として発生し、かつ発生した気泡同士が合致し始めるためである。この場合の気泡の両Ｑ２は、Ｑ１より大となる。
【００５２】
この状態における液体２の衝撃荷重を調べた結果、図７（Ｂ）に示すように、襲撃荷重Ｆ２の変動幅は比較的小さい。しかし、液体２中の炭酸ガスが微細気泡として発泡することで、液体２の圧力は上昇する。従って、この場合の衝撃荷重Ｆ２は、Ｆ１に比して増加する。このことは、ビンに入った炭酸飲料水を振ってビンの蓋を開けた時に、ビンの中の飲料水が勢い良く噴出することに似ている。
【００５３】
図８（Ａ），（Ｂ）は旋回室１７内での水車による液体攪拌が進行し、気液分離作用がさらに拡大した状態を示している。水車１５により液体の気液分離作用が拡大すると、図８（Ａ）に示すように、液体２中の気泡２１の合致作用が促進され、気泡２１の径がさらに拡大する。この場合には、図８（Ｂ）に示すように、液体２が人体に衝突する際の大径な気泡２１の破裂時に液体より比重の軽い大径の気泡２１がある為に、気泡２１が衝突する時としない時での大きな衝突変動が生じる。よって衝撃荷重Ｆ３がＦ２に比して大きくなり、荷重変動幅が図７（Ｂ）の場合に比較してさらに拡大する。
【００５４】
図９（Ａ），（Ｂ）は旋回室１７内の吐出口直前位置に液体２が達して、水車１５による液体攪拌が最大の状態まで進行し、気液分離作用が最大値まで拡大した状態を示している。このような水車１５により液体２の気液分離作用が最大の状態になると、図９（Ａ）に示すように、液体２中の気泡２１の合致が一層進行して、気泡２１の径が一層拡大する。この場合には、図９（Ｂ）に示すように、液体２が人体に衝突する際の最大径の気泡２１の分離促進により破裂により衝撃荷重Ｆ４が一層拡大し、荷重変動幅が図８（Ｂ）の場合（Ｆ３）よりもさらに拡大する。
【００５５】
次に図１０（Ａ），（Ｂ）は、気泡が含有されない液体２を対象とした場合について、遮蔽板１６による基本的な「変動作用」を示している。遮蔽板１６による「変動作用」が無い場合には、図示しないが液体の流量に変動が無く、通水幅は一定であるのに対し、本実施形態における旋回室１７の吐出口１４で遮蔽板１６による「変動作用」を受ける場合には、図１０（Ａ）に示すように、遮蔽時の液体吐出幅が変動時毎に定期的に減少する。したがって、図１０（Ｂ）に示すように、衝撃荷重Ｆ５が略一定の時間間隔で上下に変動する。
【００５６】
図１１（Ａ），（Ｂ）は、小径な気泡２１が含有された液体２（図７参照）について、さらに遮蔽板１６による「変動作用」を受けた状態を示している。気泡２１が含有された液体２については、遮蔽板１６による「変動作用」が未だ無い場合には、図７（Ａ）に示したように液体２の流量に変動が無く、通水幅は一定であるのに対し、本実施形態における旋回室１７の吐出口１４で遮蔽板１６による「変動作用」を受ける場合には、図１１（Ａ）に示すように、気泡２１を含有する液体２の遮蔽時の吐出幅が変動時毎に定期的に減少するので、図１１（Ｂ）に示すように、衝撃荷重Ｆ６の上下変動幅が図１０（Ａ）の場合（Ｆ５）に比して拡大する。
【００５７】
すなわち、気泡水もしくは合致した気泡は、圧縮性を有するので、吐出口１４や流入口１８を周期的に遮蔽した場合、圧力が圧縮によって蓄えられるため、圧縮した気体が開放される時の膨張により吐水は勢いを増す（吐水流速が高まる）。この結果、吐水の変動幅が大きくなる。
【００５８】
図１２（Ａ），（Ｂ）は、図９（Ａ），（Ｂ）に示した最大の「気液分離作用」を受けた液体２に対し、さらに「変動作用」が重畳した状態を示している。すなわち、本実施形態における実際的な炭酸水が人体等に衝突する場合を示している。この場合には、図１２（Ａ）に示すように、気泡合致により最大径の気泡２１を含む液体２が、遮蔽板１６による「変動作用」を受けることにより、旋回室１７からの液体吐出幅が変動する作用と、気泡破裂による荷重変動とが重畳する状態となる。したがって、図１２（Ｂ）に示すように、衝撃荷重が略一定の時間間隔で上下に大きく変動すると同時に、その大変動波中に小変動が加わった複雑な衝撃荷重が人体等に作用するようになる。すなわち、吐水の変動が単純ではなく、複雑となるため、人体の刺激を受ける受容器の刺激に対する馴れが発生し難い。また、気泡発生によって吐水圧も大きくなっているので、同一流量のもとでのマッサージ効果および洗浄効果が大きくなり、同時に節水効果も大きくなる。すなわち、気泡による変動感が付与され、断続感、刺激が大きくなる。
【００５９】
なお、吐出口１４から吐出した直後の液体２（人体等への衝突前の噴出液体）については、旋回室１７中において発泡作用が既に行われた状態であり、吐水が空中にて発泡作用を起すことがないため、吐水が目的方向以外に飛散する現象は極めて少ないか、皆無である。したがって、目的とする人体の個所に無駄なく効率よく接触させることができ、この点でもマッサージ効果、洗浄効果および節水効果が向上できる。
【００６０】
なお、水車１５により炭酸水を攪拌する本実施形態においては、液体２に溶解した炭酸ガスが旋回室１７にて微細気泡水となり、この微細気放水は、図７（Ａ）、図８（Ａ）、図９（Ａ）、図１１（Ａ）および図１２（Ａ）等に示すように、変動作用の最終段においても含まれており、これにより微細振動の発泡が生じるため、柔らか吐水の機能が得られると同時に、この微細振動の発泡・消滅作用（超音波作用）によるマッサージ効果、洗浄効果等に基づく節水効果も得ることができる。
【００６１】
また、本実施形態では電源、ポンプ等が不要であり、簡素、軽量な構成のもとで最大の人体の洗浄、美容・健康の促進等が得られる。そして、本実施形態の吐水装置１では、容器３への液体２および薬剤ホルダ８の挿入を、容器３を逆さまにする必要なく行え、またガス圧による液体吐出作用も容器３を逆さまにする必要なく、ノズル１３を上側配置のままで使用することができる。したがって、使用方法も容易であり、人体局部の洗浄はもとより、顔や上半身への吐水等に便利なものとなる。
【００６２】
なお、以上の実施形態においては、旋回室１７をノズルの通水路１１の他端（先端）に設けた構成を例示したが、図１３に示すように、旋回室１７をノズル１３の通水路１１途中に設けた構成として実施することもできる。このような構成によっても、前記実施形態と略同様の作用効果が奏される。
【図面の簡単な説明】
【００６３】
【図１】本発明の一実施形態による吐水装置の構成を示す全体断面図。
【図２】図１に示した吐水装置の気液分離手段および変動手段を示す分解斜視図。
【図３】本発明の一実施形態による吐水装置の気液分離手段および変動手段を示す拡大断面図。
【図４】図３の側面図（ｘ矢視図）。
【図５】（Ａ）〜（Ｃ）は、本発明の一実施形態による旋回室における水車の回転時の通水状態を順次に示す説明図。
【図６】（Ａ）は、旋回室に流入する前の気泡を含む液体の断面状態を模式的に示す図、（Ｂ）はその液体の衝突荷重を示すグラフ。
【図７】（Ａ）は、気泡を含む液体の断面状態を模式的に示す図、（Ｂ）は液体が吐出口から吐出して人体等に衝突した際の荷重変動を示すグラフ。
【図８】（Ａ）は、気泡を含む液体の断面状態を模式的に示す図、（Ｂ）は液体が吐出口から吐出して人体等に衝突した際の荷重変動を示すグラフ。
【図９】（Ａ）は、気泡を含む液体の断面状態を模式的に示す図、（Ｂ）は液体が吐出口から吐出して人体等に衝突した際の荷重変動を示すグラフ。
【図１０】（Ａ）は、気泡が含有されない液体を対象とした場合についての断面状態を模式的に示す図、（Ｂ）は液体が吐出口から吐出して人体等に衝突した際の荷重変動を示すグラフ。
【図１１】（Ａ）は、気泡を含む液体の断面状態を模式的に示す図、（Ｂ）は液体が吐出口から吐出して人体等に衝突した際の荷重変動を示すグラフ。
【図１２】（Ａ）は、気泡を含む液体の断面状態を模式的に示す図、（Ｂ）は液体が吐出口から吐出して人体等に衝突した際の荷重変動を示すグラフ。
【図１３】本発明の他の実施形態による吐水装置の構成を示す全体断面図。
【符号の説明】
【００６４】
１  吐水装置
２  液体
３  容器
４  ネジ部
５  蓋
６  密閉空間
７  給水筒
８  薬剤ホルダ
５ａ  基蓋
９  スプリング
５ｂ  操作蓋
１０  流路
１１  通水路
１２  開閉弁
１３  ノズル
１４  吐出口
１５  気水分離手段（水車）
１６  変動手段（遮蔽板）
１７  旋回室
１７ａ  旋回室蓋
１８  流入口
１９  流出口
２０  支軸
２１  気泡
【図１】
2005137705.tif 000003
【図２】
2005137705.tif 000004
【図３】
2005137705.tif 000005
【図４】
2005137705.tif 000006
【図５】
2005137705.tif 000007
【図６】
2005137705.tif 000008
【図７】
2005137705.tif 000009
【図８】
2005137705.tif 000010
【図９】
2005137705.tif 000011
【図１０】
2005137705.tif 000012
【図１１】
2005137705.tif 000013
【図１２】
2005137705.tif 000014
【図１３】
2005137705.tif 000015